(57)【要約】【課題】  本発明の目的は、チェンジレバ内に侵入したコンクリート粉塵が容易に排出でき、モード切替の操作性が低下することを抑制することができるハンマドリルを提供することである。【解決手段】  チェンジレバー１４のプッシュボタン１６挿入用穴１４ａの底部１４ｃに外部と連通する粉塵排出用穴１４ｄを設けた。【選択図】  図１
2005144595.tif 000002
【特許請求の範囲】
【請求項１】
モータと、該モータの回転力を打撃力に変換する運動変換部材と、該運動変換部材によって変換された打撃力を先端工具に伝達する打撃伝達機構部と、前記モータの回転力を先端工具に伝達する回転伝達機構部とを備え、前記先端工具への打撃力の伝達を制御するモード切替装置を有し、該モード切替装置が回動可能に保持されたチェンジレバーと、該チェンジレバー内を摺動し、前記チェンジレバーの回動を規制可能なプッシュボタン及び該チェンジレバーの挿入穴内に収納され該プッシュボタンを押圧するスプリングから成り、前記プッシュボタンを前記スプリングの押圧力に抗して前記チェンジレバー内に押し込むことにより、前記チェンジレバーが回動可能となり、該チェンジレバーの回転操作によって前記先端工具への打撃力の伝達を制御可能な構成をしたハンマドリルであって、
前記チェンジレバーの前記プッシュボタン挿入穴底部に粉塵排出用穴部を設けたことを特徴とするハンマドリル。
【発明の詳細な説明】
【技術分野】
【０００１】
本発明は、モード切替装置を有するハンマドリルに関するものである。
【背景技術】
【０００２】
従来より、モータと、モータの回転力を打撃力に変換する運動変換部材と、運動変換部材によって変換された打撃力を先端工具に伝達する打撃伝達機構部と、モータの回転力を先端工具に伝達する回転伝達機構部とを備えたハンマドリルには、先端工具への打撃力、回転力の伝達を制御するモード切替装置が設けられていた。
【０００３】
【特許文献１】特開平１０−２９１１７３号公報
【発明の開示】
【発明が解決しようとする課題】
【０００４】
従来のハンマドリルのモード切替装置には、回動可能に保持されたチェンジレバーと、チェンジレバー内を摺動し、チェンジレバーの回動を規制可能なプッシュボタン及びチェンジレバーの挿入穴内に収納されプッシュボタンを押圧するスプリングから成り、プッシュボタンを前記スプリングの押圧力に抗してチェンジレバー内に押し込むことにより、チェンジレバーが回動可能となり、チェンジレバーの回転操作によって先端工具への打撃力の伝達を制御可能な構成をしたものがあったが、上記チェンジレバーの挿入穴は袋小路の穴部であったため、天井穴あけのような上向き作業時にコンクリート等の粉塵が本体外枠側面に沿って落下し、本体外枠より突出しているチェンジレバーの上記挿入穴内に蓄積され、プッシュボタンの操作性に影響を及ぼす可能性があるものであった。
【０００５】
本発明の目的は、上記した従来技術の問題点をなくし、チェンジレバ内に侵入したコンクリート粉塵が容易に排出でき、モード切替の操作性が低下することを抑制することができるハンマドリルを提供することである。
【課題を解決するための手段】
【０００６】
上記目的は、チェンジレバーのプッシュボタン挿入用穴の底部に外部と連通する粉塵排出用穴を設けることにより達成される。
【発明の効果】
【０００７】
本発明によれば、チェンジレバーのプッシュボタン挿入用穴の底部に粉塵排出用穴を設けたので、コンクリート等の粉塵がチェンジレバー内に侵入しても、粉塵の自重あるいは作業時に本体に発生する振動等により粉塵が上記挿入用穴部内に蓄積せずに外部に排出されるようになるため、モード切替の操作性が低下することを抑制することができるハンマドリルを提供できるようになる。
【発明を実施するための最良の形態】
【０００８】
以下、本発明ハンマドリルの一実施形態を図１〜図３を用いて説明する。
【０００９】
図１に示すようにハンマドリルは、モータ１と、モータ１の回転力をモータ１のアマチュアピニオン１ａ、ファーストギヤ４を介して受け一端にセカンドピニオン６を有した中間軸５と、中間軸５上に回動可能に設けられた運動変換部材であるレシプロベアリング１１と、中間軸５上に軸方向移動可能でセカンドピニオン６とスプライン係合し回動不能に設けられ、レシプロベアリング１１と係合可能なクラッチ１０と、本体に回動可能に保持され、先端側で先端工具を収納保持可能なシリンダ８と、シリンダ８内で軸方向に往復動可能でレシプロベアリング１１と係合したピストン２と、ピストン２内で空気室３を介してピストン２の往復動が伝達され往復動するストライカ２０と、シリンダ８内で軸方向に往復動可能でストライカ２０の打撃を受けると共に先端工具の端部に打撃力を伝達する中間子２１と、シリンダ８上に回動不能に設けられセカンドピニオン６と噛合したセカンドギヤ７とを有する構成をしている。
【００１０】
打撃伝達機構は、ファーストギヤ４、中間軸５、クラッチ１０、運動変換部材であるレシプロベアリング１１、ピストン２、空気室３、ストライカ２０、中間子２１等から構成される。
【００１１】
回転伝達機構は、ファーストギヤ４、中間軸５、セカンドピニオン６、セカンドギヤ７、シリンダ８等から構成される。
【００１２】
上記した構成に加え、図に示すように本体外枠部９に突出するように保持されたモード切替装置１７が設けられている。
【００１３】
モード切替装置１７は、図１及び図２に示すように本体外枠部９に回動可能に保持されたチェンジレバー１４と、チェンジレバー１４の挿入穴１４ａ内に摺動可能に設けられたプッシュボタン１６と、挿入穴１４ａ内に設けられ、プッシュボタン１６が外方に突出するように押圧するスプリング１５とを有する構成をしている。
【００１４】
チェンジレバー１４には中間軸５側に突出するピン１４ｂが設けられており、このピン１４ｂはクラッチ１０と係合可能となっている。チェンジレバー１４の一回動操作時にピン１４ｂとクラッチ１０とが係合し、クラッチ１０をレシプロベアリング１１から離れる方向に移動させることができ、これによってクラッチ１０とレシプロベアリング１１との係合を解除し、先端工具への打撃力の伝達を解除することができる。
【００１５】
プッシュボタン１６は図１に示す位置にある際には凸部１６ａが外枠部９の一部と当接しチェンジレバー１４の回動を規制するよう働くものであり、図に示す状態よりスプリング１５の押圧力に抗して挿入穴１４ａ内を摺動させると、凸部１６ａと外枠部９の一部との係合が解除されチェンジレバー１４が回動可能となるものである。
【００１６】
図に示すように、上記したチェンジレバー１４の挿入穴１４ａの反開口部側である底部１４ｃには挿入穴１４ａと外部とを連通させる粉塵排出用穴１４ｄが設けられている。
【００１７】
このような構成としたことにより、天井穴あけ時等に外枠部９側面に沿って落下したコンクリート等の粉塵がチェンジレバー１４の挿入穴１４ａ内に侵入したとしても、粉塵の自重や作業時に本体に発生する振動等によって挿入穴１４ａ内に侵入した粉塵は底部１４ｃの排出用穴１４ｄから外部に排出されるようになるため、挿入穴１４ａ内に粉塵が蓄積されずプッシュボタン１６引いてはモード切替装置の操作性の低下を抑制することができるようになる。
【００１８】
なお、上記した排出用穴１４ｄは挿入穴１４ａの側壁に沿った位置に形成されることが望ましく、このような構成とすることによって挿入穴１４ａ内に侵入した粉塵が排出穴１４ｂを通って外部に排出され易くなる。
【００１９】
なお、上記したモード切替装置は先端工具への打撃力の伝達を制御するのみの機能を有するものであるが、先端工具への回転力の伝達を制御する機能を有するもの、あるいは両方の機能を併せ持つものであっても良い。
【図面の簡単な説明】
【００２０】
【図１】本発明ハンマドリルの一実施形態を示す縦断断面図。
【図２】本発明ハンマドリルを構成するモード切替装置の一実施形態を示す縦断断面図。
【符号の説明】
【００２１】
１４はチェンジレバー、１４ａは挿入用穴、１４ｂはピン、１４ｃは底部、１４ｄは排出用穴、１５はスプリング、１６はプッシュボタン、１６ａは凸部、１７はモード切替装置である。
【図１】
2005144595.tif 000003
【図２】
2005144595.tif 000004